【手続補正書】
【提出日】平成16年11月16日(2004.11.16)
【手続補正１】
【補正対象書類名】特許請求の範囲
【補正対象項目名】全文
【補正方法】変更
【補正の内容】
【特許請求の範囲】
【請求項１】
ビンや缶などの円形断面をした物品を列状に並べて保持すべく、断面視したときの表面が円弧状をした少なくとも３つの保持部（３ａ，３ｂ）を、シート状の帯状体（２）における一方向にかけて形成し、
前記帯状体（２）の両側の保持部（３ｂ）に有する自由端部（５）は、積載した他の物品の重量のもとで物品を所定位置に保持するための充分な剛性を備え、
第１列目の物品の上に第２列目の物品を積載するために、前記第１列目の物品の上に当該物品保持具（１）を設置することができるよう、前記帯状体（２）の裏面における、保持部（３ａ，３ｂ）に対応する部位には膨出部（４）を形成し、
前記保持部（３ａ，３ｂ）は、隣接する保持部（３ａ，３ｂ）と畝（１１）を介して一体に形成し、
前記畝（１１）を、前記保持部（３ａ，３ｂ）の最底部に対して、前記保持部（３ａ，３ｂ）の半径より小さい間隔を隔てた高さに有する略水平面上に配設し、
前記自由端部（５）を、前記略水平面より上方に突出させて形成した
前記物品を保管することを特徴とする物品保持具（１）。
【請求項２】
請求項１で記載した物品保持具（１）を２つ以上備え、
第１の前記物品保持具（１）は、その膨出部を棚などの水平面上に設置して、該第１の前記物品保持具（１）に第１列目の物品を配置し、
第２の物品保持具（１）は、物品を第２列目に配置するために、前記第１の物品保持具（１）に保持されている前記第１列目の物品の上に、該第２の物品保持具の膨出部が前記第１列目で互いに隣接する物品の間に位置するよう設置し、
物品の積載を続ける場合は、さらに他の物品保持具（１）を用いて積載することを特徴とする
物品積載セット。
【請求項３】
請求項２に記載した２以上の物品保持具により積載される物品を備えた
物品積載セット。
【請求項４】
第１列目（８）に配置されるビンや缶などの円形断面を有する物品（７）と、
前記膨出部（４）のうち、少なくとも２つが前記第１列目（８）の物品（７）の間であって、これら隣接する物品と接触するように、前記第１列目（８）の物品（７）の上に設置する前記請求項１に記載の物品保持具（１）と、
前記物品保持具（１）の保持部に保持される第２列目（９）に配置される物品（７）とを備えた
物品積載セット。
【請求項５】
前記保持部（３ａ，３ｂ）を半円以下の弧長で形成した
請求項１に記載の物品保持具（１）、又は、請求項２から請求項４のいずれか一項に記載の物品積載セットに用いる少なくとも１つの物品保持具（１）。
【請求項６】
前記帯状体（２）における前記保持部（３ａ，３ｂ）を形成した方向における一方の側、或いは両側に有する前記自由端部（５）を、前記保持部（３ａ，３ｂ）の底部から上方に各保持部の半径と略等しい高さにまで突出して形成した
請求項５に記載の物品保持具（１）。
【請求項７】
少なくとも１つの前記帯状体（２）を、前記保持部を形成した方向にかけて波形に形成した
請求項１、請求項５、又は、請求項６に記載の物品保持具（１）、若しくは、請求項２から請求項４のいずれか一項に記載の物品積載セットに用いる少なくとも１つの物品保持具（１）。
【請求項８】
前記物品は、前記保持部（３ａ，３ｂ）と略同一径を有するとともに、保持部に保持されて互いに隣接する物品どうしが接触していることを特徴とする
請求項６に記載の物品保持具（１）。
【請求項９】
剛性を有するプラスチック材料の成型により形成した
請求項１、又は、請求項５から請求項８のいずれか一項に記載の物品保持具（１）、若しくは、請求項２から請求項４のいずれか一項に記載の物品積載セットに用いる少なくとも１つの物品保持具（１）。
【請求項１０】
ラック上に置かれたときに側方に滑動することを防止する突起部（１２）を、前記膨出部（４）の最下部、又はその近傍に形成した
請求項１、又は、請求項５から請求項９のいずれか一項に記載の物品保持具（１）、若しくは、請求項２から請求項４のいずれか一項に記載の物品積載セットに用いる少なくとも１つの物品保持具（１）。
【請求項１１】
前記膨出部（４）を、他の物品保持具における前記膨出部に対応する部位の保持部（３ａ，３ｂ）に嵌入させて他の物品保持具の上に積み重ねることを特徴とする
請求項１、又は、請求項５から請求項１０のいずれか一項に記載の物品保持具（１）、若しくは、請求項２から請求項４のいずれか一項に記載の物品積載セットに用いる少なくとも１つの物品保持具（１）。
【手続補正２】
【補正対象書類名】明細書
【補正対象項目名】全文
【補正方法】変更
【補正の内容】
【発明の詳細な説明】
【発明の名称】物品保持具
【技術分野】
【０００１】
本発明は、ビン、缶などの円形断面を持つ物品を安全確実に列状に積み重ねることを可能にする物品保持具に関するものである。特に本発明は、家庭用冷蔵庫や食器棚の中でスペースを最大限に使用することを可能にする方法により安全にビン、又は缶を列状に積み重ねることのできる物品保持具に関するものである。
【背景技術】
【０００２】
ビールのビンや缶のような似通った径を有する円筒状の物品は、冷蔵庫の内外に関わらず積み重ねることが必要である。ビン、又は缶は、余りにも背が高いので冷蔵庫の中に立てることは出来ない。冷蔵庫内のラックがその高さを調節することができる場合には、背の高い物品を冷蔵庫内に収容する為にラックの位置を調節することにより、この変化の結果生じた他の区域の高さは著しく減少して使用出来なくなることがしばしばある。
【０００３】
背の高いビンや缶は、冷蔵庫内のラック上に倒した状態で積み重ねることが可能であり、積載した物品の一方の側が冷蔵庫の内壁面、および他方の側が他の物品により補強される時には、その位置は安定する。然し、上記他の物品が取り除かれると積載した物品は崩れ、これがラック上の他の物品にも損傷を与えたり、液漏れを起こしたりすることがある。
【０００４】
それでも缶やビンなどの飲料容器は、通常、２４本入りで包装され、その包装が一旦破られるとビンや缶を冷蔵庫の内外に於いて積載する、或いは貯蔵する上で有効な手段は存在しない。
【０００５】
米国特許第１７８０２６８号明細書（特許文献１参照。）に開示されたような公知の積載用具は、専ら包装の中で使用されるように構成されていて、単独で物品を支持することが出来ない。
【特許文献１】米国特許第１７８０２６８号明細書
【発明の開示】
【発明が解決しようとする課題】
【０００６】
そこで、本発明は、例えば、ビン、缶などの物品を一列に並べて保持するとともに、必要に応じて同様の構成を有する複数の物品保持具と併用することにより、２列、又はそれの以上の列で積載した多数の物品であっても安全確実に支持することのできる自立式の物品保持具を提供することを主たる目的とする。さらにもう１つの主たる目的は、１つ或いは複数用いて物品を容易に梱包して保管することのできる物品保持具を提供することにある。
【課題を解決するための手段】
【０００７】
従って、本発明に係る物品保持具は、ビンや缶などの円形断面をした物品を列状に並べて保持すべく、断面視したときの表面が円弧状をした少なくとも３つの保持部を、シート状の帯状体における一方向にかけて形成し、前記帯状体の両側に有する保持部に有する自由端部は、積載した他の物品の重量のもとで物品を所定位置に保持するための充分な剛性を備え、第１列目の物品の上に第２列目の物品を積載するために、前記第１列目の物品の上に当該物品保持具を設置することができるよう、前記帯状体の裏面における、保持部に対応する部位には膨出部を形成し、前記保持部は、隣接する保持部と畝を介して一体に形成し、前記畝を、前記保持部の最底部に対して、前記保持部の半径より小さい間隔を隔てた高さに有する略水平面上に配設し、前記自由端部を、前記略水平面より上方に突出させて形成した構成であることを特徴とする。
【発明の効果】
【０００８】
本発明の物品保持具により物品は、安全確実な手法で列状に並べて積載することが可能であるとともに、第２列目以上の列に積載した多数の物品を保持する為に同様の構成を有する一つ以上の物品保持具と併用することができる。しかも、本発明の物品保持具は、それ単独で物品を支持でき、従って、部品の組み立て、或いは分解をする必要がなく、その物品保持具単体で、或いはこれと同様の構成を有する物品保持具と共に用いることが可能である。
【０００９】
本発明に係る物品積載セットは、上述した物品保持具を２つ以上備え、第１の前記物品保持具は、その膨出部を棚などの水平面上に設置して、該第１の前記物品保持具に第１列目の物品を配置し、第２の物品保持具は、前記第１の物品保持具に保持されている前記第１列目の物品の上に、該第２の物品保持具の膨出部が前記第１列目で互いに隣接する物品の間に位置するよう設置し、そして、物品を第２列目に配置し、さらに物品を積載する場合は、さらに前記物品保持具を用いて積載することを特徴とする。
【００１０】
物品積載セットは、１つ以上の物品保持具を用いて積載される物品とともに簡単に１まとめに保管することができる。
【００１１】
例えば、上記物品積載セットは、第１列目に配置されるビンや缶などの円形断面を有する物品と、前記膨出部のうち、少なくとも２つが前記第１列目の物品の間であって、これら隣接する物品と接触するように、前記第１列目の物品の上に設置する前記請求項１に記載の物品保持具と、前記物品保持具の保持部に保持される第２列目に配置される物品とを備えたことを特徴とする。
【００１２】
帯状体は、長手方向について波形に形成している。物品保持具の保持部は、半円以下の弧長で形成している。
【００１３】
前記帯状体における前記保持部を形成した方向の一方の側、或いは両側に有する前記自由端部を、前記保持部の底部から上方に各保持部の半径と略等しい高さにまで突出して形成している。
【００１４】
好ましくは各保持部は、隣接する保持部と畝を介して一体に形成し、前記保持部の最底部に対して、前記保持部の半径より小さい間隔を隔てた高さに有する略水平面上に前記畝を配設し、前記自由端部を、前記略水平面より上方に突出して形成している。
【００１５】
好ましくは、物品保持具の保持部が保持する対象とする物品は、該保持部と略同一径を有するよう形成しているとともに、複数の隣接する保持部に保持される物品が互いに接触するよう形成している。これにより、物品の保管スペースの最大限の利用は、達せられる。何故ならば物品保持具を設置するには枠は不要であり、又各物品は互いに接近して、或いは接触し合って保持されることができるからである。
【００１６】
物品保持具は、剛性を有するプラスチック材料の成型により、又は帯状のステンレス鋼から打ち抜いて形成することができる。
【００１７】
好ましくは、ラック上に置かれたときに側方に滑動することを防止する突起部を、前記膨出部の最下部、又はその近傍に形成するとよい。
【００１８】
物品積載セットに用いる少なくとも１つの物品保持具は、前記膨出部を、他の物品保持具における前記膨出部に対応する部位の保持部に嵌入させて他の物品保持具の上に積み重ねることを特徴とする。
【００１９】
本発明の実施形態は、添付の図面を参照して実施例の形で記載される。
【図面の簡単な説明】
【００２０】
【図１】本発明による物品保持具を上方から視た斜視図である。
【図２】図１で示した物品保持具の側面図である。
【図３】図１の物品保持具を反転させて下方から視た斜視図である。
【図４】冷蔵庫のラック上に置かれた物品保持具を下方から視た斜視図である。
【図５】冷蔵庫のラック上に置かれた物品保持具を一方の側から視た斜視図を示す。物品保持具は、第１列目のビンを保持し、第１列目のビンの上には、第２列目のビンが重ねられ、又第２列目のビンの上には、第３列目のビンが重ねられている。
【図６】冷蔵庫のラック上に置かれた物品保持具を一方の側から視た斜視図である。第１列目のビンの上に物品保持具を設置し、物品保持具は、第２列目のビンを保持し、又第２列目のビンの上には、第３列目のビンを積載している。
【図７】ビンを数列に積載した３つの物品保持具の側面図である。
【発明を実施するための最良の形態】
【００２１】
添付の図面の図１から図７によれば、物品保持具１の長手方向の断面は、シート状の部材を波形とした帯状体を備えている。帯状体は、その長手方向に沿って相互に平行であり、断面視したとき、表面が円弧状をした３つの保持部３を形成している。３つの保持部３は、ビン、缶などの円形断面を有する物品７を１列に並べて保護するように構成している。帯状体の裏面における保持部３に対応する部位には、それぞれ膨出部４を形成している。帯状体２は、家庭用冷蔵庫の中において予測される低温、多湿、又は乾燥した状態で使用するのに適した密度、耐衝撃性の高いポリスチレンのような剛性のあるプラスチック材料を射出成型により形成したものが好ましい。
【００２２】
図１から図３に示したように、保持部３は、断面視したとき、その表面を半円弧状に形成するとともに、それぞれ帯状体の長手方向にかけて形成している。各保持部３の断面はすべて同径であり、物品が互いに隣接した状態で積載した時に物品７は互いに接近して、或いは、接触して保持されるように設定している。帯状体２の幅は、ビンの長さよりもかなり短く形成することができる。何故ならばビン７は、物品保持具１の中で互いに接触して、或いは接近して保持される為に物品保持具１に設置したビンがねじれることがないからである。
【００２３】
中央に位置する保持部３ａは、帯状体２の長手方向の両側において、該保持部３ａに隣接する保持部３ｂと帯状体の幅方向に延びる相互に平行な畝１１を介して一体化されている。畝１１は、保持部３ａ、３ｂの底から保持部の半径よりも小さい間隔を隔てた略水平面上に於いて延びている。帯状体２の長手方向の両側に有する保持部３ｂの自由端部５は、上記水平面、すなわち、畝１１より上方に保持部の半径とほぼ等しい高さに突き出ている。帯状体の両側における保持部３ｂにおける上記自由端部５は、物品保持具１に列状に重ねられた他の物品の重量の作用下に於いても物品７を保持することができる。
【００２４】
物品保持具１には、物品７を一列に設置することができるとともに、列状に並べて積載された他の同じ物品の上、水平の棚、又は物品を安定して列状に積載するために他の物品表面の上に設置することができる。例えば図６に示したように、ビン７は、家庭用冷蔵庫、又は食器棚のラック６上の第１列目８に並べることができる。さらに、物品保持具１は、第１列目８上に置かれ、該物品保持具１に、第２列目９に相当するビン７を設置することにより第１列目のビンの上に第２列目のビンを確実に積み重ねることができる。
【００２５】
自由端部５は、物品保持具１に列状に積載されている物品７の重量の作用下でも、物品７を物品保持具１上における所定の位置に保持可能な剛性を有する。物品保持具は、物品保持具１に列状に設置された物品７、及び、さらにその上で列状に積載された同様の物品７の重量により破損することを防ぐ為に充分な強度を持ち、また僅かな直径の差異のある物品を保持部３ａ、３ｂが受け入れるのに充分な柔軟性を持つ。例えば保持部３の直径が５９ｍｍである場合においても、例えば、５６ｍｍの径を持つ２７５ｍｌのビールビン、６１ｍｍの径を持つ３３０ｍｌのビールビン、および６６ｍｍの直径を持つ４４０ｍｌのビール缶のように物品を充分に保持部3の中に納めることができる。また、７０ｍｍから８０ｍｍの保持部径に対しては、６６ｍｍから８６ｍｍの径を有する物品を充分に保持することができる。
【００２６】
帯状体２の厚みは、必要となる剛性、強度および柔軟性によって決まる。例えば物品保持具１に２７５ｍｌ、或いは３３０ｍｌのビールビンを積載するのであれば、高密度のポリスチレン製で、約２ｍｍの厚みを有していれば必要な剛性、強度および柔軟性を確保することができる。８１ｍｍの径を有する７５０ｍｌのワインビンのような重くて大径の物品７に対しては、帯状体の厚みが約２．５ｍｍに設定することが好ましい。
【００２７】
特に図３および図４に示したように、膨出部４における最下部、或いは、その近傍には、物品保持具１がラック６に載置した時に物品保持具１が側方に滑動することを防止する為の突起部を、帯状体２の幅方向にかけて成型している。
【００２８】
好ましい実施形態として、プラスチック材料は、公知の射出成型技術を用いて素晴らしい光沢仕上げを施され、又帯状体２の表面にはロゴ、メッセージ、又は他の情報をプリントすることができる。
【００２９】
別の実施形態によれば、帯状体２は、ステンレス鋼をプレス加工により形成し、ロゴ等をレーザエッチングする、或いは他の装飾法を仕上げ工程に用いることができる。上記の例に記載の物品と共に用いられる時に必要な剛性、強度および柔軟性を実現する為にステンレス鋼の厚みは、約０．７５ｍｍ以上でなければならない。
【００３０】
例えば、家庭用冷蔵庫のラック６上で物品７を積み重ねる目的で物品保持具１を用いる方法を次に記載することとする。特に図６に示されるように３つの円柱物体７、この場合にビンは冷蔵庫のラック６上に第１列８として並べられる。第２列目９に並べるビン７を第１列目８に積載したビン７の上に積載するために、物品保持具１の保持部３ａ、３ｂに、互いに隣り合うビン７を接触させ、又は近接させて第２列目９にビン７を並べる。ビン７が並べられた物品保持具１は、２つの隣り合う膨出部４を第１列目８において相互に隣り合うビン７の表面の間に接触した状態に設置し、また帯状体２の長手方向の一方の端部側における第３の膨出部４は、第１列目８の一方の端部側のビン７の一つと接触してオーバーハングする状態で第１列目８のビン７の上に設置する。従って、第２列目９のビン７は、第１列目８のビン７の上に確実に積み重ねられる。次に、第３列目１０のビン７は、第２列目のビン７上に置かれ、以下同様に続く。保管スペースを最大限に利用することができる。これは、ビン７は互いに接近、或いは接触して並べることができるからであり、１以上の物品保持具１を用いる為に枠は必要ではないためである。
【００３１】
上記の代わりに図４および図５に示されるように物品保持具１には、第１列目８のビン７が並べられ、膨出部４と接触するとともに冷蔵庫の棚６を構成する支持棒の間に突起２を嵌入させて上記棚６の上に直接置くことができる。物品保持具１の棚６に対する左右方向の滑動は、支持棒に接している上記突起部２により防止される。従って、第１列目８のビン７は、上記棚６の上に確実に積載されるとともに、第１列目８に設置したのと同様のビン７を第１列目８のビン７の上、つまり、第２列目９のビン７に安全に並べて置くことができる。次に、第３列目１０のビン７は、第２列目９のビン７の上に置かれ、以下同様に続く。物品保持具の長手方向における他方の側は、上述のように積載したビン７が冷蔵庫の内壁面に接触することにより安定する。
【００３２】
本発明の物品保持具１によりビン７を、安全確実な方法で列状に並べて積載することが可能になり、２つ以上の列８、９を作って積み重ねられた多数のビン７を補助する為に一つ以上の同様の構成を有する物品保持具１と組み合わせて使用することができる。従って、物品保持具１は単体でビン７を保持できる構成であるため、容易に、単体で或いは他の同様の構成を有する物品保持具と組み合わせて使用することができ、その際、物品保持具の分解や組み立ての必要はない。
【００３３】
物品保持具１は、不使用時においては、保管の目的で、上側で重ねられる物品保持具１の膨出部４を下側に積み重ねられる物品保持具における上記膨出部４に対応する保持部６の中に嵌入させることにより、上下に重ねて積み上げることができる（図示せず）。
【００３４】
さらに別の実施形態によれば、本実施形態に係る物品積載セットは、上記の実施形態に記載された第１および第２の同じ物品保持具１を備えている。例えば同様のビールビン７の６パックを包装することができる。物品保持具１には、ビン７が積載され、さらにビン７を列状に並べて輸送する、或いは保管する為に包装される。
【００３５】
包装が取り除かれると列状に積載された物品保持具１は、冷蔵庫のラック６上に直接置いて、上記のようにビン７を積み重ねることができる。